(57)【要約】【課題】本発明は調節に便利な自撮り棒を開示した。【解決手段】本体を含み、前記本体の外側をポリプロピレンスリーブで包んでおり、前記本体の頂端にはシャッターがスライド可能に設置され、前記シャッターの底端には頂部接触点が固定的に設置され、前記シャターの底部には底部接触点が固定的に設置され、前記底部接触点の両側にはばねが弾性を持つように設置され、前記本体の片側の中には中部棒がスライド可能に設置され、前記中部棒の片側の中には支持棒がスライド可能に設置され、前記支持棒の頂端には凹み溝が設置され、前記凹み溝の中には挟持機構と補光機構とが設置され、前記挟持機構により携帯を固定でき、前記補光機構により補光でき、前記本体の中には調節機構が設置され、前記調節機構により前記補光機構と前記挟持機構の角度を調節できる。【選択図】図１
2020177212.tif 000002
【特許請求の範囲】
【請求項１】
正面視で、本体を含み、前記本体の外側をポリプロピレンスリーブで包んでおり、前記本体の頂端にはシャッターがスライド可能に設置され、前記シャッターの底端には頂部接触点が固定的に設置され、前記シャターの底部には底部接触点が固定的に設置され、前記底部接触点の両側にはばねが弾性を持つように設置され、前記本体の片側の中には中部棒がスライド可能に設置され、前記中部棒の片側の中には支持棒がスライド可能に設置され、前記支持棒の頂端には凹み溝が設置され、前記凹み溝の中には挟持機構と補光機構とが設置され、前記挟持機構により携帯を固定でき、前記補光機構により補光でき、前記本体の中には調節機構が設置され、前記調節機構により前記補光機構と前記挟持機構の角度を調節できることを特徴とする調節に便利な自撮り棒。
【請求項２】
前記調節機構は前記本体の中に回転可能に設置されたノブスプラインスリーブを含み、前記ノブスプラインスリーブの一端には大ノブが固定的に設置され、前記ノブスプラインスリーブの片側の伸びた部分の中にはスプライン中軸がスプラインにより装着され、前記支持棒の中には挟持ウォームが回転可能に設置され、前記挟持ウォームと前記スプライン中軸の片側端とがスプラインにより連結され、前記本体の中にはノブスプライン軸が回転可能に設置され、前記ノブスプライン軸の一端には小ノブが固定的に設置され、前記ノブスプライン軸のもう一端には底部スプラインスリーブがスプラインにより装着され、前記底部スプラインスリーブの一端には補光ウォームがスプラインにより装着され、前記補光ウォームの一端と前記支持棒とが回転可能に連結されていることを特徴とする請求項１に記載の調節に便利な自撮り棒。
【請求項３】
前記挟持機構は前記凹み溝の中にヒンジで連結された挟持揺動棒を含み、前記挟持揺動棒の中にはスライダーチャンバが設置され、前記スライダーチャンバの中にはスライダーがスライド可能に設置され、前記スライダーの一端面にはスライド棒が固定的に設置され、前記スライド棒の両側には引締めばねが対称的に装着され、前記スライド棒のもう一端には挟持板が固定的に設置され、前記挟持揺動棒の片側端面には支持ブロックが固定的に設置され、前記携帯を前記支持ブロックと前記挟持板との間に置き、前記挟持ウォームの一端には挟持ウォームホイールが回転可能に設置され、前記挟持ウォームホイールと前記挟持ウォームとが噛み合うように連結され、前記挟持揺動棒の一端には固定輪が固定的に設置され、前記固定輪と前記挟持ウォームホイールとが挟持巻糸により伝動可能に連結されていることを特徴とする請求項１に記載の調節に便利な自撮り棒。
【請求項４】
前記補光機構は前記凹み溝の中にヒンジで連結された補光揺動棒を含み、前記補光揺動棒の中にはラックがスライド可能に装着され、前記補光揺動棒の片側端面の中には締めネジロッドが回転可能に設置され、前記締めネジロッドと前記ラックとが噛み合うように設置され、前記締めネジロッドの一端には圧迫ブロックがねじ山により連結され、前記圧迫ブロックが前記補光揺動棒の中にスライド可能に装着され、前記補光揺動棒の中には伸縮棒がスライド可能に装着され、前記伸縮棒の中にはスプラインウォームが回転可能に設置され、前記スプラインウォームの一端にはライトが噛み合うように装着され、前記ライトが前記伸縮棒の片側端面の中にヒンジで装着され、前記伸縮棒の中には補光軸が回転可能に装着され、前記補光軸の一端と前記スプラインウォームとがスプラインにより装着され、前記補光軸のもう一端には傘歯車が固定的に設置され、前記傘歯車の後ろ側には糸巻き歯車が回転可能に設置され、前記糸巻き歯車と前記傘歯車とが噛み合うように設置され、前記補光ウォームの頂部には補光ウォームホイールが回転可能に設置され、前記補光ウォームホイールと前記補光ウォームとが噛み合うように設置され、前記補光ウォームホイールと前記糸巻き歯車とが補光巻糸により伝動可能に連結されていることを特徴とする請求項１に記載の調節に便利な自撮り棒。
【発明の詳細な説明】
【技術分野】
【０００１】
本発明は自撮り棒技術分野に関し、具体的には調節に便利な自撮り棒に関する。
【背景技術】
【０００２】
自撮り棒は世界を風靡する自撮りの道具であり、２０センチから１２０センチまでの長さで任意に伸縮でき、携帯又はコンパクトカメラを伸縮棒に固定すれば自撮りできる。伝統的な自撮り棒はほとんどが構造が簡単で、自撮りをするときに手動で角度を調整しなければならぬ、しかも大部分の自撮りに補光機構が備わっておらず、補光機構を備える自撮り棒でも補光機構の角度の調整ができず、自撮りのクオリティを下げる。そのため、調節に便利な自撮り棒をデザインして自撮りのクオリティを高める必要がある。
【先行技術文献】
【特許文献】
【０００３】
【特許文献１】中国特許出願公開第105045017号明細書
【発明の概要】
【発明が解決しようとする課題】
【０００４】
本発明の目的は調節に便利な自撮り棒を提供し、それは上記の現在の技術中の問題を解決できる。
【課題を解決するための手段】
【０００５】
上記の課題を解決するため、本発明は以下の技術プランを採用する：調節に便利な自撮り棒は、本体を含み、前記本体の外側をポリプロピレンスリーブで包んでおり、前記本体の頂端にはシャッターがスライド可能に設置され、前記シャッターの底端には頂部接触点が固定的に設置され、前記シャターの底部には底部接触点が固定的に設置され、前記底部接触点の両側にはばねが弾性を持つように設置され、前記本体の片側の中には中部棒がスライド可能に設置され、前記中部棒の片側の中には支持棒がスライド可能に設置され、前記支持棒の頂端には凹み溝が設置され、前記凹み溝の中には挟持機構と補光機構とが設置され、前記挟持機構により携帯を固定でき、前記補光機構により補光でき、前記本体の中には調節機構が設置され、前記調節機構により前記補光機構と前記挟持機構の角度を調節できる。
【０００６】
優選的には、前記調節機構は前記本体の中に回転可能に設置されたノブスプラインスリーブを含み、前記ノブスプラインスリーブの一端には大ノブが固定的に設置され、前記ノブスプラインスリーブの片側の伸びた部分の中にはスプライン中軸がスプラインにより装着され、前記支持棒の中には挟持ウォームが回転可能に設置され、前記挟持ウォームと前記スプライン中軸の片側端とがスプラインにより連結され、前記本体の中にはノブスプライン軸が回転可能に設置され、前記ノブスプライン軸の一端には小ノブが固定的に設置され、前記ノブスプライン軸のもう一端には底部スプラインスリーブがスプラインにより装着され、前記底部スプラインスリーブの一端には補光ウォームがスプラインにより装着され、前記補光ウォームの一端と前記支持棒とが回転可能に連結されている。
【０００７】
前記挟持機構は前記凹み溝の中にヒンジで連結された挟持揺動棒を含み、前記挟持揺動棒の中にはスライダーチャンバが設置され、前記スライダーチャンバの中にはスライダーがスライド可能に設置され、前記スライダーの一端面にはスライド棒が固定的に設置され、前記スライド棒の両側には引締めばねが対称的に装着され、前記スライド棒のもう一端には挟持板が固定的に設置され、前記挟持揺動棒の片側端面には支持ブロックが固定的に設置され、前記携帯を前記支持ブロックと前記挟持板との間に置き、前記挟持ウォームの一端には挟持ウォームホイールが回転可能に設置され、前記挟持ウォームホイールと前記挟持ウォームとが噛み合うように連結され、前記挟持揺動棒の一端には固定輪が固定的に設置され、前記固定輪と前記挟持ウォームホイールとが挟持巻糸により伝動可能に連結されている。
【０００８】
前記補光機構は前記凹み溝の中にヒンジで連結された補光揺動棒を含み、前記補光揺動棒の中にはラックがスライド可能に装着され、前記補光揺動棒の片側端面の中には締めネジロッドが回転可能に設置され、前記締めネジロッドと前記ラックとが噛み合うように設置され、前記締めネジロッドの一端には圧迫ブロックがねじ山により連結され、前記圧迫ブロックが前記補光揺動棒の中にスライド可能に装着され、前記補光揺動棒の中には伸縮棒がスライド可能に装着され、前記伸縮棒の中にはスプラインウォームが回転可能に設置され、前記スプラインウォームの一端にはライトが噛み合うように装着され、前記ライトが前記伸縮棒の片側端面の中にヒンジで装着され、前記伸縮棒の中には補光軸が回転可能に装着され、前記補光軸の一端と前記スプラインウォームとがスプラインにより装着され、前記補光軸のもう一端には傘歯車が固定的に設置され、前記傘歯車の後ろ側には糸巻き歯車が回転可能に設置され、前記糸巻き歯車と前記傘歯車とが噛み合うように設置され、前記補光ウォームの頂部には補光ウォームホイールが回転可能に設置され、前記補光ウォームホイールと前記補光ウォームとが噛み合うように設置され、前記補光ウォームホイールと前記糸巻き歯車とが補光巻糸により伝動可能に連結されている。
【発明の効果】
【０００９】
本発明の有益効果は：本発明は補光機構で照明不足の時補光を実現し、しかも手動で補光機構を調節して照明角度を変えることができ、伝統的な自撮り棒の補光不能の欠点を補う。挟持機構は手動で大ノブを回して撮影角度を変え、撮影に便利を与える。本発明は構造が簡単で、操作が便利である。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の調節に便利な自撮り棒の内部全体構造図
【図２】図２は本発明の調節に便利な自撮り棒の中間部分の見取り図
【図３】図３は本発明の調節に便利な自撮り棒の右側部分の見取り図
【図４】図４は本発明の図１におけるＡの局部拡大図
【発明を実施するための形態】
【００１２】
図１〜４を参照し、本発明の調節に便利な自撮り棒は、本体１０を含み、前記本体１０の外側をポリプロピレンスリーブ１１で包んでおり、前記本体１０の頂端にはシャッター１５がスライド可能に設置され、前記シャッター１５の底端には頂部接触点１６が固定的に設置され、前記シャター１５の底部には底部接触点１７が固定的に設置され、前記底部接触点１７の両側にはばね１８が弾性を持つように設置され、前記本体１０の片側の中には中部棒４６がスライド可能に設置され、前記中部棒４６の片側の中には支持棒１９がスライド可能に設置され、前記支持棒１９の頂端には凹み溝２４が設置され、前記凹み溝２４の中には挟持機構７０と補光機構７１とが設置され、前記挟持機構７０により携帯３８を固定でき、前記補光機構７１により補光でき、前記本体１０の中には調節機構７３が設置され、前記調節機構７３により前記補光機構７１と前記挟持機構７０の角度を調節できる。
【００１３】
有益なまた例を示すように、前記調節機構７３は前記本体１０の中に回転可能に設置されたノブスプラインスリーブ５０を含み、前記ノブスプラインスリーブ５０の一端には大ノブ１２が固定的に設置され、前記ノブスプラインスリーブ５０の片側の伸びた部分の中にはスプライン中軸４５がスプラインにより装着され、前記支持棒１９の中には挟持ウォーム５２が回転可能に設置され、前記挟持ウォーム５２と前記スプライン中軸４５の片側端とがスプラインにより連結され、前記本体１０の中にはノブスプライン軸１４が回転可能に設置され、前記ノブスプライン軸１４の一端には小ノブ１３が固定的に設置され、前記ノブスプライン軸１４のもう一端には底部スプラインスリーブ４３がスプラインにより装着され、前記底部スプラインスリーブ４３の一端には補光ウォーム２０がスプラインにより装着され、前記補光ウォーム２０の一端と前記支持棒１９とが回転可能に連結され、
前記大ノブ１２を回し、前記ノブスプラインスリーブ５０を回転させ、前記ノブスプラインスリーブ５０は前記スプライン中軸４５を回転させ、前記挟持ウォーム５２により前記挟持機構７０を調節し、更に撮影角度を調節し、前記小ノブ１３を回せて前記ノブスプライン軸１４を回転させ、前記底部スプラインスリーブ４３を回転させ、前記底部スプラインスリーブ４３が前記補光ウォーム２０を回転連動させ、更に前記補光機構７１の角度を調節する。
【００１４】
有益なまた例を示すように、前記挟持機構７０は前記凹み溝２４の中にヒンジで連結された挟持揺動棒４２を含み、前記挟持揺動棒４２の中にはスライダーチャンバ３７が設置され、前記スライダーチャンバ３７の中にはスライダー３６がスライド可能に設置され、前記スライダー３６の一端面にはスライド棒３４が固定的に設置され、前記スライド棒３４の両側には引締めばね３５が対称的に装着され、前記スライド棒３４のもう一端には挟持板３３が固定的に設置され、前記挟持揺動棒４２の片側端面には支持ブロック３９が固定的に設置され、前記携帯３８を前記支持ブロック３９と前記挟持板３３との間に置き、前記挟持ウォーム５２の一端には挟持ウォームホイール４０が回転可能に設置され、前記挟持ウォームホイール４０と前記挟持ウォーム５２とが噛み合うように連結され、前記挟持揺動棒４２の一端には固定輪４１が固定的に設置され、前記固定輪４１と前記挟持ウォームホイール４０とが挟持巻糸５１により伝動可能に連結され、前記挟持ウォームホイール４０の回転で前記挟持揺動棒４２が回転でき、更に前記携帯３８の角度を調節する。
【００１５】
有益なまた例を示すように、前記補光機構７１は前記凹み溝２４の中にヒンジで連結された補光揺動棒６０を含み、前記補光揺動棒６０の中にはラック２３がスライド可能に装着され、前記補光揺動棒６０の片側端面の中には締めネジロッド２９が回転可能に設置され、前記締めネジロッド２９と前記ラック２３とが噛み合うように設置され、前記締めネジロッド２９の一端には圧迫ブロック２８がねじ山により連結され、前記圧迫ブロック２８が前記補光揺動棒６０の中にスライド可能に装着され、前記補光揺動棒６０の中には伸縮棒３０がスライド可能に装着され、前記伸縮棒３０の中にはスプラインウォーム３１が回転可能に設置され、前記スプラインウォーム３１の一端にはライト３２が噛み合うように装着され、前記ライト３２が前記伸縮棒３０の片側端面の中にヒンジで装着され、前記伸縮棒３０の中には補光軸２６が回転可能に装着され、前記補光軸２６の一端と前記スプラインウォーム３１とがスプラインにより装着され、前記補光軸２６のもう一端には傘歯車２７が固定的に設置され、前記傘歯車２７の後ろ側には糸巻き歯車２５が回転可能に設置され、前記糸巻き歯車２５と前記傘歯車２７とが噛み合うように設置され、前記補光ウォーム２０の頂部には補光ウォームホイール２１が回転可能に設置され、前記補光ウォームホイール２１と前記補光ウォーム２０とが噛み合うように設置され、前記補光ウォームホイール２１と前記糸巻き歯車２５とが補光巻糸２２により伝動可能に連結され、前記補光ウォームホイール２１が回転すると、前記糸巻き歯車２５が連動して回転し、それにより前記補光軸２６を回転させ、更に前記スプラインウォーム３１を回転させることで、前記ライト３２の角度を調節する。
【００１６】
初期状態の時、補光揺動棒６０と挟持揺動棒４２はいずれも水平状態で凹み溝２４の中に置かれており、ラック２３が凹み溝２４の底部から離れたことで、補光揺動棒６０の位置が制限を受けず、中部棒４６が本体１０の中に収納されており、支持棒１９が最大程度で中部棒４６の中に収納されている。
【００１７】
自撮りをする時、支持棒１９を引き動かし、支持棒１９と中部棒４６とを伸びだし、携帯３８を挟持板３３と支持ブロック３９の中に置き、補光揺動棒６０と挟持揺動棒４２とを調節し、補光揺動棒６０と挟持揺動棒４２を鉛直状態にし、上に伸縮棒３０を引き出し、締めネジロッド２９を締め、圧迫ブロック２８により伸縮棒３０を止め、ラック２３を凹み溝２４の底壁に止め、大ノブ１２を回してノブスプラインスリーブ５０を回転させ、ノブスプラインスリーブ５０によりスプライン中軸４５を回転連動させ、挟持ウォーム５２を回転させ、挟持ウォーム５２が挟持ウォームホイール４０を回転連動させ、挟持揺動棒４２を回転させることで、角度を調節し、小ノブ１３を回し、ノブスプライン軸１４を回転させ、更に底部スプラインスリーブ４３を回転させ、補光ウォーム２０を回転させ、補光ウォームホイール２１を回転連動させ、糸巻き歯車２５を回転させ、補光軸２６を回転させ、スプラインウォーム３１を回転させ、ライト３２の角度を調節する。
【００１８】
本発明の有益効果は：本発明は補光機構で照明不足の時補光を実現し、しかも手動で補光機構を調節して照明角度を変えることができ、伝統的な自撮り棒の補光不能の欠点を補う。挟持機構は手動で大ノブを回して撮影角度を変え、撮影に便利を与える。本発明は構造が簡単で、操作が便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177212.tif 000003
【図２】
2020177212.tif 000004
【図３】
2020177212.tif 000005
【図４】
2020177212.tif 000006
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の外側をポリプロピレンスリーブで包んでおり、前記本体の頂端にはシャッターがスライド可能に設置され、前記シャッターの底端には頂部接触点が固定的に設置され、前記シャッターの底部には底部接触点が固定的に設置され、前記底部接触点の両側にはばねが弾性を持つように設置され、前記本体の片側の中には中部棒がスライド可能に設置され、前記中部棒の片側の中には支持棒がスライド可能に設置され、前記支持棒の頂端には凹み溝が設置され、前記凹み溝の中には挟持機構と補光機構とが設置され、前記挟持機構により携帯を固定でき、前記補光機構により補光でき、前記本体の中には調節機構が設置され、前記調節機構により前記補光機構と前記挟持機構の角度を調節でき、
前記調節機構は前記本体の中に回転可能に設置されたノブスプラインスリーブを含み、前記ノブスプラインスリーブの一端には大ノブが固定的に設置され、前記ノブスプラインスリーブの片側の伸びた部分の中にはスプライン中軸がスプラインにより装着され、前記支持棒の中には挟持ウォームが回転可能に設置され、前記挟持ウォームと前記スプライン中軸の片側端とがスプラインにより連結され、前記本体の中にはノブスプライン軸が回転可能に設置され、前記ノブスプライン軸の一端には小ノブが固定的に設置され、前記ノブスプライン軸のもう一端には底部スプラインスリーブがスプラインにより装着され、前記底部スプラインスリーブの一端には補光ウォームがスプラインにより装着され、前記補光ウォームの一端と前記支持棒とが回転可能に連結され、
前記挟持機構は前記凹み溝の中にヒンジで連結された挟持揺動棒を含み、前記挟持揺動棒の中にはスライダーチャンバが設置され、前記スライダーチャンバの中にはスライダーがスライド可能に設置され、前記スライダーの一端面にはスライド棒が固定的に設置され、前記スライド棒の両側には引締めばねが対称的に装着され、前記スライド棒のもう一端には挟持板が固定的に設置され、前記挟持揺動棒の片側端面には支持ブロックが固定的に設置され、前記携帯を前記支持ブロックと前記挟持板との間に置き、前記挟持ウォームの一端には挟持ウォームホイールが回転可能に設置され、前記挟持ウォームホイールと前記挟持ウォームとが噛み合うように連結され、前記挟持揺動棒の一端には固定輪が固定的に設置され、前記固定輪と前記挟持ウォームホイールとが挟持巻糸により伝動可能に連結され、
前記補光機構は前記凹み溝の中にヒンジで連結された補光揺動棒を含み、前記補光揺動棒の中にはラックがスライド可能に装着され、前記補光揺動棒の片側端面の中には締めネジロッドが回転可能に設置され、前記締めネジロッドと前記ラックとが噛み合うように設置され、前記締めネジロッドの一端には圧迫ブロックがねじ山により連結され、前記圧迫ブロックが前記補光揺動棒の中にスライド可能に装着され、前記補光揺動棒の中には伸縮棒がスライド可能に装着され、前記伸縮棒の中にはスプラインウォームが回転可能に設置され、前記スプラインウォームの一端にはライトが噛み合うように装着され、前記ライトが前記伸縮棒の片側端面の中にヒンジで装着され、前記伸縮棒の中には補光軸が回転可能に装着され、前記補光軸の一端と前記スプラインウォームとがスプラインにより装着され、前記補光軸のもう一端には傘歯車が固定的に設置され、前記傘歯車の後ろ側には糸巻き歯車が回転可能に設置され、前記糸巻き歯車と前記傘歯車とが噛み合うように設置され、前記補光ウォームの頂部には補光ウォームホイールが回転可能に設置され、前記補光ウォームホイールと前記補光ウォームとが噛み合うように設置され、前記補光ウォームホイールと前記糸巻き歯車とが補光巻糸により伝動可能に連結され、
自撮りをする時、前記支持棒を引き動かし、前記支持棒と前記中部棒とを伸びだし、携帯を前記挟持板と前記支持ブロックの中に置き、前記補光揺動棒と前記挟持揺動棒とを調節し、前記補光揺動棒と前記挟持揺動棒を鉛直状態にし、上に前記伸縮棒を引き出し、前記締めネジロッドを締め、前記圧迫ブロックにより前記伸縮棒を止め、前記ラックを前記凹み溝の底壁に止め、前記大ノブを回して前記ノブスプラインスリーブを回転させ、前記ノブスプラインスリーブにより前記スプライン中軸を回転連動させ、前記挟持ウォームを回転させ、前記挟持ウォームが前記挟持ウォームホイールを回転連動させ、前記挟持揺動棒を回転させることで、角度を調節し、前記小ノブを回し、前記ノブスプライン軸を回転させ、更に前記底部スプラインスリーブを回転させ、前記補光ウォームを回転させ、前記補光ウォームホイールを回転連動させ、前記糸巻き歯車を回転させ、前記補光軸を回転させ、前記スプラインウォームを回転させ、ライトの角度を調節することを特徴とする調節に便利な自撮り棒。
【手続補正２】
【補正対象書類名】明細書
【補正対象項目名】全文
【補正方法】変更
【補正の内容】
【発明の詳細な説明】
【技術分野】
【０００１】
本発明は自撮り棒技術分野に関し、具体的には調節に便利な自撮り棒に関する。
【背景技術】
【０００２】
自撮り棒は世界を風靡する自撮りの道具であり、２０センチから１２０センチまでの長さで任意に伸縮でき、携帯又はコンパクトカメラを伸縮棒に固定すれば自撮りできる。伝統的な自撮り棒はほとんどが構造が簡単で、自撮りをするときに手動で角度を調整しなければならぬ、しかも大部分の自撮りに補光機構が備わっておらず、補光機構を備える自撮り棒でも補光機構の角度の調整ができず、自撮りのクオリティを下げる。そのため、調節に便利な自撮り棒をデザインして自撮りのクオリティを高める必要がある。
【先行技術文献】
【特許文献】
【０００３】
【特許文献１】中国特許出願公開第105045017号明細書
【発明の概要】
【発明が解決しようとする課題】
【０００４】
本発明の目的は調節に便利な自撮り棒を提供し、それは上記の現在の技術中の問題を解決できる。
【課題を解決するための手段】
【０００５】
上記の課題を解決するため、本発明は以下の技術プランを採用する：調節に便利な自撮り棒は、本体を含み、前記本体の外側をポリプロピレンスリーブで包んでおり、前記本体の頂端にはシャッターがスライド可能に設置され、前記シャッターの底端には頂部接触点が固定的に設置され、前記シャッターの底部には底部接触点が固定的に設置され、前記底部接触点の両側にはばねが弾性を持つように設置され、前記本体の片側の中には中部棒がスライド可能に設置され、前記中部棒の片側の中には支持棒がスライド可能に設置され、前記支持棒の頂端には凹み溝が設置され、前記凹み溝の中には挟持機構と補光機構とが設置され、前記挟持機構により携帯を固定でき、前記補光機構により補光でき、前記本体の中には調節機構が設置され、前記調節機構により前記補光機構と前記挟持機構の角度を調節できる。
【０００６】
優選的には、前記調節機構は前記本体の中に回転可能に設置されたノブスプラインスリーブを含み、前記ノブスプラインスリーブの一端には大ノブが固定的に設置され、前記ノブスプラインスリーブの片側の伸びた部分の中にはスプライン中軸がスプラインにより装着され、前記支持棒の中には挟持ウォームが回転可能に設置され、前記挟持ウォームと前記スプライン中軸の片側端とがスプラインにより連結され、前記本体の中にはノブスプライン軸が回転可能に設置され、前記ノブスプライン軸の一端には小ノブが固定的に設置され、前記ノブスプライン軸のもう一端には底部スプラインスリーブがスプラインにより装着され、前記底部スプラインスリーブの一端には補光ウォームがスプラインにより装着され、前記補光ウォームの一端と前記支持棒とが回転可能に連結されている。
【０００７】
前記挟持機構は前記凹み溝の中にヒンジで連結された挟持揺動棒を含み、前記挟持揺動棒の中にはスライダーチャンバが設置され、前記スライダーチャンバの中にはスライダーがスライド可能に設置され、前記スライダーの一端面にはスライド棒が固定的に設置され、前記スライド棒の両側には引締めばねが対称的に装着され、前記スライド棒のもう一端には挟持板が固定的に設置され、前記挟持揺動棒の片側端面には支持ブロックが固定的に設置され、前記携帯を前記支持ブロックと前記挟持板との間に置き、前記挟持ウォームの一端には挟持ウォームホイールが回転可能に設置され、前記挟持ウォームホイールと前記挟持ウォームとが噛み合うように連結され、前記挟持揺動棒の一端には固定輪が固定的に設置され、前記固定輪と前記挟持ウォームホイールとが挟持巻糸により伝動可能に連結されている。
【０００８】
前記補光機構は前記凹み溝の中にヒンジで連結された補光揺動棒を含み、前記補光揺動棒の中にはラックがスライド可能に装着され、前記補光揺動棒の片側端面の中には締めネジロッドが回転可能に設置され、前記締めネジロッドと前記ラックとが噛み合うように設置され、前記締めネジロッドの一端には圧迫ブロックがねじ山により連結され、前記圧迫ブロックが前記補光揺動棒の中にスライド可能に装着され、前記補光揺動棒の中には伸縮棒がスライド可能に装着され、前記伸縮棒の中にはスプラインウォームが回転可能に設置され、前記スプラインウォームの一端にはライトが噛み合うように装着され、前記ライトが前記伸縮棒の片側端面の中にヒンジで装着され、前記伸縮棒の中には補光軸が回転可能に装着され、前記補光軸の一端と前記スプラインウォームとがスプラインにより装着され、前記補光軸のもう一端には傘歯車が固定的に設置され、前記傘歯車の後ろ側には糸巻き歯車が回転可能に設置され、前記糸巻き歯車と前記傘歯車とが噛み合うように設置され、前記補光ウォームの頂部には補光ウォームホイールが回転可能に設置され、前記補光ウォームホイールと前記補光ウォームとが噛み合うように設置され、前記補光ウォームホイールと前記糸巻き歯車とが補光巻糸により伝動可能に連結されている。
【発明の効果】
【０００９】
本発明の有益効果は：本発明は補光機構で照明不足の時補光を実現し、しかも手動で補光機構を調節して照明角度を変えることができ、伝統的な自撮り棒の補光不能の欠点を補う。挟持機構は手動で大ノブを回して撮影角度を変え、撮影に便利を与える。本発明は構造が簡単で、操作が便利である。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の調節に便利な自撮り棒の内部全体構造図
【図２】図２は本発明の調節に便利な自撮り棒の中間部分の見取り図
【図３】図３は本発明の調節に便利な自撮り棒の右側部分の見取り図
【図４】図４は本発明の図１におけるＡの局部拡大図
【発明を実施するための形態】
【００１２】
図１〜４を参照し、本発明の調節に便利な自撮り棒は、本体１０を含み、前記本体１０の外側をポリプロピレンスリーブ１１で包んでおり、前記本体１０の頂端にはシャッター１５がスライド可能に設置され、前記シャッター１５の底端には頂部接触点１６が固定的に設置され、前記シャッター１５の底部には底部接触点１７が固定的に設置され、前記底部接触点１７の両側にはばね１８が弾性を持つように設置され、前記本体１０の片側の中には中部棒４６がスライド可能に設置され、前記中部棒４６の片側の中には支持棒１９がスライド可能に設置され、前記支持棒１９の頂端には凹み溝２４が設置され、前記凹み溝２４の中には挟持機構７０と補光機構７１とが設置され、前記挟持機構７０により携帯３８を固定でき、前記補光機構７１により補光でき、前記本体１０の中には調節機構７３が設置され、前記調節機構７３により前記補光機構７１と前記挟持機構７０の角度を調節できる。
【００１３】
有益なまた例を示すように、前記調節機構７３は前記本体１０の中に回転可能に設置されたノブスプラインスリーブ５０を含み、前記ノブスプラインスリーブ５０の一端には大ノブ１２が固定的に設置され、前記ノブスプラインスリーブ５０の片側の伸びた部分の中にはスプライン中軸４５がスプラインにより装着され、前記支持棒１９の中には挟持ウォーム５２が回転可能に設置され、前記挟持ウォーム５２と前記スプライン中軸４５の片側端とがスプラインにより連結され、前記本体１０の中にはノブスプライン軸１４が回転可能に設置され、前記ノブスプライン軸１４の一端には小ノブ１３が固定的に設置され、前記ノブスプライン軸１４のもう一端には底部スプラインスリーブ４３がスプラインにより装着され、前記底部スプラインスリーブ４３の一端には補光ウォーム２０がスプラインにより装着され、前記補光ウォーム２０の一端と前記支持棒１９とが回転可能に連結され、前記大ノブ１２を回し、前記ノブスプラインスリーブ５０を回転させ、前記ノブスプラインスリーブ５０は前記スプライン中軸４５を回転させ、前記挟持ウォーム５２により前記挟持機構７０を調節し、更に撮影角度を調節し、前記小ノブ１３を回せて前記ノブスプライン軸１４を回転させ、前記底部スプラインスリーブ４３を回転させ、前記底部スプラインスリーブ４３が前記補光ウォーム２０を回転連動させ、更に前記補光機構７１の角度を調節する。
【００１４】
有益なまた例を示すように、前記挟持機構７０は前記凹み溝２４の中にヒンジで連結された挟持揺動棒４２を含み、前記挟持揺動棒４２の中にはスライダーチャンバ３７が設置され、前記スライダーチャンバ３７の中にはスライダー３６がスライド可能に設置され、前記スライダー３６の一端面にはスライド棒３４が固定的に設置され、前記スライド棒３４の両側には引締めばね３５が対称的に装着され、前記スライド棒３４のもう一端には挟持板３３が固定的に設置され、前記挟持揺動棒４２の片側端面には支持ブロック３９が固定的に設置され、前記携帯３８を前記支持ブロック３９と前記挟持板３３との間に置き、前記挟持ウォーム５２の一端には挟持ウォームホイール４０が回転可能に設置され、前記挟持ウォームホイール４０と前記挟持ウォーム５２とが噛み合うように連結され、前記挟持揺動棒４２の一端には固定輪４１が固定的に設置され、前記固定輪４１と前記挟持ウォームホイール４０とが挟持巻糸５１により伝動可能に連結され、前記挟持ウォームホイール４０の回転で前記挟持揺動棒４２が回転でき、更に前記携帯３８の角度を調節する。
【００１５】
有益なまた例を示すように、前記補光機構７１は前記凹み溝２４の中にヒンジで連結された補光揺動棒６０を含み、前記補光揺動棒６０の中にはラック２３がスライド可能に装着され、前記補光揺動棒６０の片側端面の中には締めネジロッド２９が回転可能に設置され、前記締めネジロッド２９と前記ラック２３とが噛み合うように設置され、前記締めネジロッド２９の一端には圧迫ブロック２８がねじ山により連結され、前記圧迫ブロック２８が前記補光揺動棒６０の中にスライド可能に装着され、前記補光揺動棒６０の中には伸縮棒３０がスライド可能に装着され、前記伸縮棒３０の中にはスプラインウォーム３１が回転可能に設置され、前記スプラインウォーム３１の一端にはライト３２が噛み合うように装着され、前記ライト３２が前記伸縮棒３０の片側端面の中にヒンジで装着され、前記伸縮棒３０の中には補光軸２６が回転可能に装着され、前記補光軸２６の一端と前記スプラインウォーム３１とがスプラインにより装着され、前記補光軸２６のもう一端には傘歯車２７が固定的に設置され、前記傘歯車２７の後ろ側には糸巻き歯車２５が回転可能に設置され、前記糸巻き歯車２５と前記傘歯車２７とが噛み合うように設置され、前記補光ウォーム２０の頂部には補光ウォームホイール２１が回転可能に設置され、前記補光ウォームホイール２１と前記補光ウォーム２０とが噛み合うように設置され、前記補光ウォームホイール２１と前記糸巻き歯車２５とが補光巻糸２２により伝動可能に連結され、前記補光ウォームホイール２１が回転すると、前記糸巻き歯車２５が連動して回転し、それにより前記補光軸２６を回転させ、更に前記スプラインウォーム３１を回転させることで、前記ライト３２の角度を調節する。
【００１６】
初期状態の時、補光揺動棒６０と挟持揺動棒４２はいずれも水平状態で凹み溝２４の中に置かれており、ラック２３が凹み溝２４の底部から離れたことで、補光揺動棒６０の位置が制限を受けず、中部棒４６が本体１０の中に収納されており、支持棒１９が最大程度で中部棒４６の中に収納されている。
【００１７】
自撮りをする時、支持棒１９を引き動かし、支持棒１９と中部棒４６とを伸びだし、携帯３８を挟持板３３と支持ブロック３９の中に置き、補光揺動棒６０と挟持揺動棒４２とを調節し、補光揺動棒６０と挟持揺動棒４２を鉛直状態にし、上に伸縮棒３０を引き出し、締めネジロッド２９を締め、圧迫ブロック２８により伸縮棒３０を止め、ラック２３を凹み溝２４の底壁に止め、大ノブ１２を回してノブスプラインスリーブ５０を回転させ、ノブスプラインスリーブ５０によりスプライン中軸４５を回転連動させ、挟持ウォーム５２を回転させ、挟持ウォーム５２が挟持ウォームホイール４０を回転連動させ、挟持揺動棒４２を回転させることで、角度を調節し、小ノブ１３を回し、ノブスプライン軸１４を回転させ、更に底部スプラインスリーブ４３を回転させ、補光ウォーム２０を回転させ、補光ウォームホイール２１を回転連動させ、糸巻き歯車２５を回転させ、補光軸２６を回転させ、スプラインウォーム３１を回転させ、ライト３２の角度を調節する。
【００１８】
本発明の有益効果は：本発明は補光機構で照明不足の時補光を実現し、しかも手動で補光機構を調節して照明角度を変えることができ、伝統的な自撮り棒の補光不能の欠点を補う。挟持機構は手動で大ノブを回して撮影角度を変え、撮影に便利を与える。本発明は構造が簡単で、操作が便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。